(57)【要約】【課題】  就寝者の寝返りによるズレを抑制するとともに、安定性を向上することにより、外気の流入を防止して就寝者が快適な睡眠を得られるようにすることができるようにする。【解決手段】  本発明の掛け布団１は、袋状に形成された布団かわ２内の厚さ方向を、上層Ａと下層Ｂとからなる少なくとも２層に仕切り、該下層Ｂ内の横幅方向を、就寝者Ｈの上に掛けるための掛け部９とその両側部１０とからなる少なくとも３つの空間に仕切り、それぞれの空間に充填材Ｆを充填してなっている。そして、両側部１０の空間は、掛け部９の空間よりも相対的に高い密度で充填材Ｆが充填されている。また、掛け部９は、布団かわ２の縦方向両端側が、該縦方向中間部よりも相対的に幅広に形成されている。【選択図】      図４
2005204838.tif 000002
【特許請求の範囲】
【請求項１】
袋状に形成された外側布地内の横幅方向を、就寝者の上に掛けるための掛け部とその両側部とからなる少なくとも３つの空間に仕切り、それぞれの空間に充填材を充填してなる掛け布団において、
前記両側部の空間は、前記掛け部の空間よりも相対的に高い密度で充填材が充填された掛け布団。
【請求項２】
前記掛け部は、少なくとも縦方向両端部とその中間部とからなる少なくとも３つの空間に仕切られており、
前記縦方向両端部の空間は、前記縦方向中間部の空間よりも相対的に高い密度で充填材が充填された請求項１記載の掛け布団。
【請求項３】
前記外側布地内の厚さ方向を、上層と下層とからなる少なくとも２層に仕切り、
該下層内の横幅方向を、前記掛け部及びその両側部とからなる少なくとも３つの空間に仕切ってなる請求項１又は２記載の掛け布団。
【請求項４】
前記上層は、横幅方向又は／及び縦方向が複数の空間に仕切られており、
該上層の仕切りが、平面視で、前記下層の仕切りとはずれた位置に配設された請求項３記載の掛け布団。
【請求項５】
前記上層は、前記下層よりも相対的に多数の空間に仕切られた請求項３又は４記載の掛け布団。
【請求項６】
前記掛け部は、前記外側布地の縦方向一端側又は両端側が、該縦方向中央部よりも相対的に幅広に形成された請求項１〜５のいずれか一項に記載の掛け布団。
【発明の詳細な説明】
【技術分野】
【０００１】
本発明は、掛け布団に関するものである。
【背景技術】
【０００２】
従来の掛け布団としては、特許文献１記載の掛け布団を例示する。この掛け布団５０は、図８に示すように狭いキルト面５１により縫製され所定量の充填材Ｆを充填した上層Ａと、上層Ａよりも広いキルト面５２により縫製され、上層Ａよりも少量の充填材Ｆを充填した下層Ｂと、上層Ａと下層Ｂとの間に設けられた中布５４とを備えている。
【０００３】
上層Ａはキルト面５１を狭くして中の充填材Ｆの量を下層Ｂより多めにしており、外気を遮断し保温性を向上させるようにしている。一方下層Ｂはキルト面５２を広くして中の充填材Ｆの量を上層Ａより相対的に少なめにしており、就寝者Ｈの表面に密着しやすく、隙間ができず均等に保温効果を与えるようにしている。
【０００４】
【特許文献１】実用新案登録第２５８２２７４号公報
【発明の開示】
【発明が解決しようとする課題】
【０００５】
ところが、一般に健康な成人は睡眠中に２０〜３０回寝返りすると言われている。図９に示すように寝返り時には、敷き布団５５上において、就寝者Ｈの胴部分Ｈａの転回に伴って、特に腕部分Ｈｂ及び脚部分Ｈｃが大きく回動し、掛け布団５０がこの腕部分Ｈｂ及び脚部分Ｈｃに引っ張られて大きくずれてしまうことがある。このため、就寝者Ｈとの密着性が損なわれ、外気が流入して就寝者の睡眠を妨げるという課題がある。
【課題を解決するための手段】
【０００６】
上記課題を解決するために、第１の発明の掛け布団は、
袋状に形成された外側布地内の横幅方向を、就寝者の上に掛けるための掛け部とその両側部とからなる少なくとも３つの空間に仕切り、それぞれの空間に充填材を充填してなる掛け布団において、
前記両側部の空間は、前記掛け部の空間よりも相対的に高い密度で充填材が充填されている。
【０００７】
前記充填材としては、特に限定されないが、羽毛、羊毛、綿、合繊わた等を例示する。前記掛け部の横幅としては、特に限定されないが、約１０〜１３０ｃｍとすることを例示し、好ましくは、少なくとも就寝者の横幅と略同等又はそれよりも広くすることを例示する。前記空間の仕切り方としては、特に限定されないが、仕切られた空間同士が通気性を有するように仕切ったり、通気性を有しないように仕切ったりすることを例示する。
【０００８】
この構成によれば、就寝者の上に掛けたときに、前記掛け部が就寝者の表面形状に沿うように変形するのに対して前記両側部が相対的に布団厚さ方向下方に張り出すようになる。このため、例えば寝返り時に就寝者の腕部分や脚部分によって前記横幅方向の一方側に引っ張られても、他方側における前記側部が就寝者の身体に係止されるので、掛け布団のずれを防止することができる。また、前記両側部は、前記掛け部よりも相対的に単位体積当たりの重量が重くなるため、浮き上がり難く、掛け布団の安定性を向上させることができ、前記側部からの外気の流入を防止することができる。従って、この構成によれば、就寝者の寝返りによるズレを抑制するとともに、安定性を向上することにより、外気の流入を防止して就寝者が快適な睡眠を得られるようにすることができる。
【０００９】
第２の発明の掛け布団としては、第１の発明において、前記掛け部は、少なくとも縦方向両端部とその中間部とからなる少なくとも３つの空間に仕切られており、
前記縦方向両端部の空間は、前記縦方向中間部の空間よりも相対的に高い密度で充填材が充填された態様を例示する。
【００１０】
この構成によれば、前記縦方向両端部は、前記縦方向中間部よりも相対的に単位体積当たりの重量が重くなるため、浮き上がり難く、肩口、首周り、足先における掛け布団の安定性を向上させることができ、前記縦方向両端部からの外気の流入を防止することができる。
【００１１】
第３の発明の掛け布団としては、第１又は２の発明において、前記外側布地内の厚さ方向を、上層と下層とからなる少なくとも２層に仕切り、
該下層内の横幅方向を、前記掛け部及びその両側部とからなる少なくとも３つの空間に仕切ってなる態様を例示する。
【００１２】
この構成によれば、外気に触れる部分である前記上層によって外気を遮断し保温性を向上させることができる。
【００１３】
第４の発明の掛け布団としては、第３の発明において、前記上層は、横幅方向又は／及び縦方向が複数の空間に仕切られており、
該上層の仕切りが、平面視で、前記下層の仕切りとはずれた位置に配設された態様を例示する。
【００１４】
この構成によれば、掛け布団の厚さを略均一化することができる。このため、前記上層及び前記下層の仕切りの位置が一致している場合と比較して、布団の断熱性及び保温性を向上することができる。
【００１５】
第５の発明の掛け布団としては、第３又は４の発明において、前記上層は、前記下層よりも相対的に多数の空間に仕切られた態様を例示する。
【００１６】
この構成によれば、前記上層における充填材の偏りを防止し、断熱性の低い部位の発生を防止することができる。
【００１７】
第６の発明の掛け布団としては、第１〜５のいずれかの発明において、前記掛け部は、前記外側布地の縦方向一端側又は両端側が、該縦方向中央部よりも相対的に幅広に形成された態様を例示する。
【００１８】
前記幅広に形成された部位（前記外側布地の縦方向一端側又は両端側）は就寝者の腕部分又は／及び脚部分が位置し得る部位であり、前記縦方向中央部は就寝者の胴部分が位置し得る部位である。この腕部分及び脚部分は、寝返り時における可動範囲が胴部分よりも相対的に大きい。本構成では、前記掛け部において、腕部分又は／及び脚部分が位置し得る部位を幅広に形成しているので、該腕部分又は／及び脚部分の動きを妨げることがなく、就寝者が快適な睡眠を得られるようにすることができる。
【００１９】
以上において、前記掛け布団を形成するための布地の接続方法としては、特に限定されないが、縫製、熱融着、接着等の方法を例示する。
【発明の効果】
【００２０】
本発明に係る掛け布団によれば、就寝者の寝返りによるズレを抑制するとともに、安定性を向上することにより、外気の流入を防止して就寝者が快適な睡眠を得られるようにすることができるという優れた効果を奏する。
【発明を実施するための最良の形態】
【００２１】
図１〜図５は本発明を具体化した第一実施形態の掛け布団を示している。この掛け布団１は、図１〜図３に示すように、綿生地又は絹を織り込んだ生地からなる外側布地としての布団かわ２を表生地２ａ及び裏生地２ｂにするとともに、その間に布団かわ２と同等の大きさのタフタ（例えば合成繊維製のタフタ）からなる中布４をいれて端部を一体的に縫結している。掛け布団１内は、中布４の上側に形成された上層Ａと、同下側に形成された下層Ｂとが形成されている。上層Ａ及び下層Ｂは、それぞれの仕切り線としてのキルト線７ａ，７ｂ，８ａ，８ｂに沿って設けられた仕切りとしての立体マチ３ａ，３ｂにより複数の空間に仕切られており、該立体マチ３ａ，３ｂはナイロンメッシュでできている。各空間には充填材Ｆが充填されている。なお、上層Ａ側の縦キルト線７ａと下層Ｂ側の縦キルト線７ｂとは、平面視で互いにずれた位置に配設されている。また、充填材Ｆとしては、本例では、羽毛（抗菌防臭加工を施したものでもよい。）を使用している。本例では、充填材Ｆは、平均的に、下層Ｂよりも上層Ａの方が相対的に高い密度で充填されている。
【００２２】
上層Ａは、図１に示すように、略縦方向に延びる３つの縦キルト線７ａに沿って配設された立体マチ３ａにより横幅方向が４つに仕切られており、横幅方向に延びる４つの横キルト線８ａに沿って配設された立体マチ３ａにより縦方向が５つに仕切られている。縦方向に延びる３つの縦キルト線７ａのうち、両側の縦キルト線７ａは、平面視で、それぞれが縦方向の両端側ほど布団かわ２の側縁部に近づくように、略つづみ形状に延びている。上層Ａは、下層Ｂよりも相対的に狭いキルト面５ａにより縫製されることにより、多数の空間に仕切られており、充填材Ｆの偏りを防止することにより、保温効果の低い部位の発生を防止するようになっている。
【００２３】
下層Ｂは、図２に示すように、略縦方向に延びる２つの縦キルト線７ｂに沿って配設された立体マチ３ｂにより横幅方向が、就寝者Ｈの上に掛けるための掛け部９とその両側部１０とからなる３つに仕切られ、横幅方向に延びる４つの横キルト線８ｂに沿って配設された立体マチ３ｂにより縦方向が５つに仕切られている。さらに、掛け部９については、その縦方向両端部９ａ，９ａが、それぞれ横幅方向に延びる横キルト線８ｂに沿って配設された立体マチ３ｂにより仕切られている。縦方向に延びる２つの縦キルト線７ｂは、それぞれが縦方向の両端側ほど布団かわ２の縁部に近づくように、略つづみ形状に延びている。この両縦キルト線７ｂによって仕切られた両側部１０の空間は、掛け部９の空間よりも相対的に高い密度で充填材Ｆが充填されている。また、掛け部９における縦方向両端部９ａ，９ａの空間は、同縦方向中央部の空間よりも相対的に高い密度（両側部１０の空間と同程度の密度とすることもに可能）で充填材Ｆが充填されている。また、下層Ｂにおける掛け部９は、その上層Ａにおける対応部位よりも相対的に広いキルト面５ｂにより縫製されることによって広く仕切られるとともに、充填材Ｆも相対的に低い密度で充填されており、図４及び図５に示すように、就寝者Ｈの身体形状や身体の状態に応じて柔軟に変形するようになっている。
【００２４】
以上のように構成された本例の掛け布団１によれば、横幅方向における両側部１０の空間は、掛け部９の空間よりも相対的に高い密度で充填材Ｆが充填されているので、図４に示すように、敷き布団１１上の就寝者Ｈの上に掛けたときに、掛け部９が就寝者Ｈの表面形状に沿うように変形するのに対して両側部１０が相対的に布団厚さ方向下方に張り出すようになる。このため、例えば図５に示すように寝返り時に就寝者Ｈの腕部分Ｈｂや脚部分Ｈｃによって横幅方向の一方側（本例では左側）に引っ張られても、他方側（本例では右側）における側部１０が就寝者Ｈの身体に係止されるので、掛け布団１のずれを防止することができる。また、両側部１０は、掛け部９よりも相対的に単位体積当たりの重量が重くなるため、浮き上がり難く、掛け布団１の安定性を向上させることができ、側部１０からの外気の流入を防止することができる。従って、この構成によれば、就寝者Ｈの寝返りによるズレを抑制するとともに、安定性を向上することにより、外気の流入を防止して就寝者Ｈが快適な睡眠を得られるようにすることができる。
【００２５】
また、掛け部９における縦方向両端部９ａ，９ａの空間は、同縦方向中央部の空間よりも相対的に高い密度で充填材Ｆが充填されている。このため、該縦方向両端部９ａ，９ａは、縦方向中間部よりも相対的に単位体積当たりの重量が重くなるため、浮き上がり難く、肩口、首周り、足先における掛け布団の安定性を向上させることができ、縦方向両端部９ａ，９ａからの外気の流入を防止することができる。
【００２６】
また、布団かわ２内の厚さ方向を、外気に触れる部分である上層Ａと、就寝者の肌等に触れる下層Ｂとからなる少なくとも２層に仕切り、該下層Ｂ内の横幅方向を、掛け部９及びその両側部１０とからなる少なくとも３つの空間に仕切ってなっているので、上層Ａによって外気を遮断し保温性を向上させることができる。
【００２７】
また、上層Ａは、横幅方向及び縦方向が複数の空間に仕切られており、該上層Ａの縦の立体マチ３ａが、平面視で、下層Ｂの縦の立体マチ３ｂとはずれた位置に配設されているので、掛け布団１の厚さを略均一化することができる。このため、上層Ａ及び下層Ｂの立体マチ３ａ，３ｂの位置が一致している場合と比較して、布団の断熱性及び保温性を向上することができる。
【００２８】
また、上層Ａは、下層Ｂよりも相対的に多数の空間に仕切られているので、該上層Ａにおける充填材Ｆの偏りを防止し、断熱性の低い部位の発生を防止することができる。
【００２９】
掛け部９は、布団かわ２の縦方向両端側が、該縦方向中間部よりも相対的に幅広に形成されている。幅広に形成された部位は就寝者Ｈの腕部分Ｈｂ及び脚部分Ｈｃがそれぞれ位置し得る部位であり、縦方向中間部は就寝者Ｈの胴部分Ｈａが位置し得る部位である。この腕部分Ｈｂ及び脚部分Ｈｃは、寝返り時における可動範囲が胴部分Ｈａよりも相対的に大きい。本構成では、掛け部９において、腕部分Ｈｂ及び脚部分Ｈｃが位置し得る部位を幅広に形成しているので、該腕部分Ｈｂ及び脚部分Ｈｃの動きを妨げることがなく、就寝者Ｈが快適な睡眠を得られるようにすることができる。
【００３０】
次に、図６及び図７は本発明を具体化した第二実施形態を示している。この掛け布団３０は、以下に示す点において、主に第一実施形態と相違している。従って、同実施形態と共通する部分については、同一符号を付することにより重複説明を省く。
【００３１】
本例の掛け布団３０は２人の就寝者Ｈで利用可能なダブルサイズとなっている。上層Ａ及び下層Ｂは、いずれも横幅方向及び縦方向がそれぞれ４本ずつの縦キルト線７ａ，７ｂ及び横キルト線８ａ，８ｂにより、基本的に５つずつに仕切られている。そして、下層Ｂには、２人の就寝者Ｈにそれぞれ掛けるための一対の掛け部９と、該各掛け部９の両側部１０とが設けられている。両掛け部９の中間にある空間は、両掛け部９に共通の側部１０となっている。各掛け部９については、その縦方向両端部９ａ，９ａが、それぞれ横幅方向に延びる横キルト線８ｂにより仕切られている。
【００３２】
本例の掛け布団３０においても、第一実施形態と同様に構成されている点については、第一実施形態と同様の効果を得ることができる。
【００３３】
なお、本発明は前記実施形態に限定されるものではなく、例えば以下のように、発明の趣旨から逸脱しない範囲で適宜変更して具体化することもできる。
（２）掛け布団１，３０を１層又は３層以上の構造にすること。
（３）充填材Ｆを綿、羊毛等に適宜変更すること。
（４）キルト線７ａ，７ｂ，８ａ，８ｂの形状、位置、数等を適宜変更すること。例えば、キルト線７ａ，７ｂ，８ａ，８ｂの形状を曲線にすることを例示する。
（５）掛け部９を、その布団かわ２の縦方向一端側のみが、該縦方向中間部よりも相対的に幅広に形成された態様とすること。
（６）上層Ａ側の横キルト線８ａと下層Ｂ側の横キルト線８ｂとが、平面視で互いにずれた位置に配設されているようにすること。
【図面の簡単な説明】
【００３４】
【図１】本発明を具体化した第一実施形態に係る掛け布団の平面図である。
【図２】同掛け布団の裏面図である。
【図３】図１及び図２のＩＩＩ−ＩＩＩ線断面図である。
【図４】同掛け布団の使用状態を示す図であり、（ａ）は平面図、（ｂ）は（ａ）のｂ−ｂ線断面図である。
【図５】同掛け布団の別の使用状態を示す図であり、（ａ）は平面図、（ｂ）は（ａ）のｂ−ｂ線断面図である。
【図６】本発明を具体化した第二実施形態に係る掛け布団の平面図である。
【図７】同掛け布団の裏面図である。
【図８】従来の掛け布団の使用状態を示す図であり、（ａ）は平面図、（ｂ）は（ａ）のｂ−ｂ線断面図である。
【図９】同掛け布団の別の使用状態を示す図であり、（ａ）は平面図、（ｂ）は（ａ）のｂ−ｂ線断面図である。
【符号の説明】
【００３５】
１    掛け布団
２    布団かわ
２ａ  表生地
２ｂ  裏生地
３ａ  立体マチ
３ｂ  立体マチ
４    中布
５ａ  キルト面
５ｂ  キルト面
７ａ  縦キルト線
７ｂ  縦キルト線
８ａ  横キルト線
８ｂ  横キルト線
９    掛け部
９ａ  縦方向両端部
１０    側部
３０    掛け布団
Ａ    上層
Ｂ    下層
Ｆ    充填材
Ｈ    就寝者
Ｈａ  胴部分
Ｈｂ  腕部分
Ｈｃ  脚部分
【図１】
2005204838.tif 000003
【図２】
2005204838.tif 000004
【図３】
2005204838.tif 000005
【図４】
2005204838.tif 000006
【図５】
2005204838.tif 000007
【図６】
2005204838.tif 000008
【図７】
2005204838.tif 000009
【図８】
2005204838.tif 000010
【図９】
2005204838.tif 000011